(57)【要約】【課題】  発光素子に対して、点灯後の発光素子の温度が一定となることを早めることができる発光装置を提供する。【解決手段】  発光装置は、発光する発光素子と、発光素子を冷却する冷却体と、発光素子の電流及び電圧の少なくとも一方が一定となるように制御し、且つ、冷却体が発光素子を冷却する量である冷却量を制御する制御装置と、を備え、制御装置は、発光素子が点灯して発光素子の電流及び電圧の少なくとも一方が一定になった後に、冷却量が一定となるように、冷却量を制御する。【選択図】  図４
2017185707.tif 000002
【特許請求の範囲】
【請求項１】
発光する発光素子と、
前記発光素子を冷却する冷却体と、
前記発光素子の電流及び電圧の少なくとも一方が一定となるように制御し、且つ、前記冷却体が前記発光素子を冷却する量である冷却量を制御する制御装置と、を備え、
前記制御装置は、前記発光素子が点灯して前記発光素子の電流及び電圧の少なくとも一方が一定になった後に、前記冷却量が一定となるように、前記冷却量を制御する、発光装置。
【請求項２】
前記制御装置は、前記発光素子が点灯して前記発光素子の電流及び電圧の少なくとも一方が一定になった後に、前記冷却体が前記発光素子の冷却を開始するように、前記冷却量を制御する、請求項１に記載の発光装置。
【請求項３】
前記冷却体が前記発光素子の冷却を開始してから前記冷却量が一定になるまでの期間は、前記発光素子が点灯してから前記発光素子の電流及び電圧の少なくとも一方が一定になるまでの期間よりも、長い、請求項２に記載の発光装置。
【請求項４】
発光する発光素子を冷却する冷却体に対して、前記冷却体が前記発光素子を冷却する量である冷却量を制御する制御装置であって、
前記発光素子の電流及び電圧の少なくとも一方が一定となるように制御し、さらに、
前記発光素子が点灯して前記発光素子の電流及び電圧の少なくとも一方が一定になった後に、前記冷却量が一定となるように、前記冷却量を制御する、制御装置。
【発明の詳細な説明】
【技術分野】
【０００１】
本発明は、発光する発光素子と、発光素子を冷却する冷却体とを備える発光装置に関する。また、本発明は、発光する発光素子を冷却する冷却体に対して、冷却体が発光素子を冷却する量である冷却量を制御する制御装置に関する。
【背景技術】
【０００２】
従来、発光装置として、発光する発光素子と、発光素子を冷却するファンとを備える発光装置が、知られている（例えば、特許文献１）。そして、発光素子がＬＥＤや半導体レーザである場合、発光素子が定電圧制御や定電流制御されていても、発光素子の発光量が変化する場合がある。例えば、発光素子に印加される電圧が一定（又は、発光素子に流れる電流が一定）であっても、発光素子の温度が変化することで、発光素子の発光量（発光効率）が変化する。
【０００３】
斯かる発光装置においては、発光素子が点灯を開始した後、発光素子の温度が徐々に上昇する。そして、発光素子の温度が或る温度にまで到達することで、発光素子の発熱とファンの冷却との均衡がとれるため、発光素子の温度が一定となる。これにより、発光素子の発光量が一定となる。
【０００４】
ところで、特許文献１に係る発光装置においては、発光素子が点灯して一定の電圧になるのと略同時に、ファンの電圧が一定となっている。これにより、発光素子の温度が或る温度にまで到達する時間が、長くなっていた。即ち、発光素子の発光量が一定となる時間が、長くなっていた。
【先行技術文献】
【特許文献】
【０００５】
【特許文献１】特開２０１４−６０９０４号公報
【発明の概要】
【発明が解決しようとする課題】
【０００６】
そこで、課題は、発光素子に対して、点灯後の発光素子の温度が一定となることを早めることができる発光装置及び制御装置を提供することである。
【課題を解決するための手段】
【０００７】
発光装置は、発光する発光素子と、前記発光素子を冷却する冷却体と、前記発光素子の電流及び電圧の少なくとも一方が一定となるように制御し、且つ、前記冷却体が前記発光素子を冷却する量である冷却量を制御する制御装置と、を備え、前記制御装置は、前記発光素子が点灯して前記発光素子の電流及び電圧の少なくとも一方が一定になった後に、前記冷却量が一定となるように、前記冷却量を制御する。
【０００８】
また、発光装置においては、前記制御装置は、前記発光素子が点灯して前記発光素子の電流及び電圧の少なくとも一方が一定になった後に、前記冷却体が前記発光素子の冷却を開始するように、前記冷却量を制御する、という構成でもよい。
【０００９】
また、発光装置においては、前記冷却体が前記発光素子の冷却を開始してから前記冷却量が一定になるまでの期間は、前記発光素子が点灯してから前記発光素子の電流及び電圧の少なくとも一方が一定になるまでの期間よりも、長い、という構成でもよい。
【００１０】
また、制御装置は、発光する発光素子を冷却する冷却体に対して、前記冷却体が前記発光素子を冷却する量である冷却量を制御する制御装置であって、前記発光素子の電流及び電圧の少なくとも一方が一定となるように制御し、さらに、前記発光素子が点灯して前記発光素子の電流及び電圧の少なくとも一方が一定になった後に、前記冷却量が一定となるように、前記冷却量を制御する。
【発明の効果】
【００１１】
以上の如く、発光装置及び制御装置は、発光素子に対して、点灯後の発光素子の温度が一定となることを早めることができる、という優れた効果を奏する。
【図面の簡単な説明】
【００１２】
【図１】一実施形態に係る発光装置（画像形成装置）の全体概要図である。
【図２】同実施形態に係る発光装置の要部概略図である。
【図３】同実施形態に係る発光装置の制御を説明するフロー図である。
【図４】同実施形態に係る発光装置の制御を説明する図であって、時間と電流／電圧との関係を示すグラフである。
【図５】同実施形態に係る発光装置の作用効果を説明する図であって、時間と照度との関係を示すグラフである。
【図６】他の実施形態に係る発光装置の制御を説明する図であって、時間と電流／電圧との関係を示すグラフである。
【図７】さらに他の実施形態に係る発光装置の制御を説明する図であって、時間と電流／電圧との関係を示すグラフである。
【図８】さらに他の実施形態に係る発光装置の制御を説明するフロー図である。
【図９】さらに他の実施形態に係る発光装置の要部概略図である。
【図１０】さらに他の実施形態に係る発光装置の要部概略図である。
【図１１】実施例と比較例とを評価するための図であって、時間と照度との関係を示すグラフである。
【発明を実施するための形態】
【００１３】
以下、発光装置及び制御装置における一実施形態について、図１〜図５を参酌して説明する。なお、各図（図６〜図１１も同様）において、図面の寸法比と実際の寸法比とは、必ずしも一致しておらず、また、各図面の間での寸法比も、必ずしも一致していない。
【００１４】
本実施形態においては、図１に示すように、発光装置１は、例えば、シート１００に画像を形成（印刷）する画像形成装置である。発光装置１は、シート１００を搬送する搬送部１１と、画像を形成するための溶剤（インク、樹脂等）をシート１００に塗布する塗布部１２と、溶剤をシート１００に定着させる定着部２とを備えている。
【００１５】
発光装置１は、指示等の情報が入力される入力部１３と、各部に電力を供給する電源装置３と、各部を制御する制御装置４と、各部を収容する装置本体１４とを備えている。したがって、発光装置１は、シート１００を装置本体１４の内部に搬入し、搬入されたシート１００に画像を形成した後、装置本体１４の外部に搬出している。
【００１６】
図２に示すように、定着部２は、シート１００に向けて発光する発光素子２１と、発光素子２１を冷却する冷却体２２と、発光素子２１を収容する筐体２３とを備えている。そして、塗布部１２からシート１００に塗布される溶剤が光硬化性を有しているため、発光素子２１は、シート１００に向けて発光することにより、溶剤をシート１００に定着させている。
【００１７】
本実施形態においては、塗布部１２からシート１００に塗布される溶剤は、紫外線硬化性を有しており、発光素子２１は、紫外光（例えば、波長が３６５ｎｍ〜４０５ｎｍの光）を発光している。また、本実施形態においては、発光素子２１は、ＬＥＤとしているが、斯かる構成に限られず、例えば、半導体レーザであってもよく、半導体発光素子であればよい。
【００１８】
冷却体２２は、発光素子２１を冷却する量である冷却量を変更可能に構成されている。本実施形態においては、冷却体２２は、発光素子２１に向けて送風するファンであり、ファンの回転速度を変更することにより、冷却量を変更する。即ち、冷却量は、ファンの回転速度である。
【００１９】
電源装置３は、発光素子２１に電力を供給する発光電源部３１と、冷却体２２に電力を供給する冷却電源部３２とを備えている。そして、発光電源部３１が発光素子２１に流れる電流に応じて、発光素子２１の発光量が制御される。また、冷却電源部３２が冷却体２２に印加する電圧に応じて、冷却体２２が発光素子２１を冷却する冷却量が制御される。
【００２０】
制御装置４は、入力部１３に入力された情報（例えば、「装置稼働」、「装置停止」等）を取得する取得部４１と、各情報を記憶している記憶部４２と、各情報を演算する演算部４３とを備えている。また、制御装置４は、発光素子２１の点灯・消灯や発光量を制御する発光制御部４４と、冷却体２２の冷却開始・停止や冷却量を制御する冷却制御部４５とを備えている。
【００２１】
発光制御部４４は、取得部４１が情報（例えば、「装置稼働」）を取得することにより、発光素子２１が点灯するように、発光電源部３１を制御する。そして、発光制御部４４は、装置１が稼働中の際には、発光素子２１に流れる電流が一定となるように、発光電源部３１を制御する。即ち、発光素子２１は、発光制御部４４により、定電流制御されている。
【００２２】
冷却制御部４５は、発光素子２１が点灯して一定の電流になった後に、冷却体２２が発光素子２１の冷却を開始するように、冷却電源部３２を制御している。そして、冷却制御部４５は、発光素子２１が点灯して一定の電流になった後に、冷却量が一定となるように、冷却電源部３２を制御している。本実施形態においては、当該冷却量は、冷却体２２に印加される電圧と比例している。
【００２３】
本実施形態に係る発光装置１の構成については以上の通りであり、次に、本実施形態に係る発光装置１の制御方法について、図３及び図４を参酌して説明する。
【００２４】
図３及び図４に示すように、取得部４１が入力部１３に入力された情報（例えば、「装置稼働」）を取得することにより、発光制御部４４は、発光電源部３１を制御する。これにより、発光素子２１は、電流が流されて、点灯する（図３のＳ１０であって、図４の時間Ｔ０）。このとき、発光制御部４４は、発光素子２１に流れる電流が一定となるように、発光電源部３１を制御する。
【００２５】
そして、発光素子２１に流れる電流が一定となる（図３のＳ２０の「Ｙ」であって、図４の時間Ｔ１）。ここで、「電流が一定となる」とは、発光素子２１に流れる電流Ａ１が、設定電流Ａ１０に対して±５％（好ましくは±３％、より好ましくは±１％）である状態を１０秒間（好ましくは５秒間、より好ましくは１秒間）継続することをいう。
【００２６】
なお、本実施形態においては、発光制御部４４から発光電源部３１へは、時間Ｔ０において、発光素子２１に設定電流Ａ１０が流れるように制御している。即ち、時間Ｔ０直後に、発光素子２１に流れる電流Ａ１が徐々に大きくなっているのは、立ち上がり時に必然的に発生する電流上昇によるものであり、発光制御部４４は、発光素子２１に流れる電流Ａ１を意図的に徐々に大きくしている訳ではない。
【００２７】
その後、発光素子２１の電流が一定である状態が設定時間（例えば、１０秒であって、好ましくは５秒、より好ましくは１秒）だけ経過することで（図３のＳ３０の「Ｙ」であって、図４の時間Ｔ２）、冷却制御部４５は、冷却電源部３２を制御する。これにより、冷却体２２は、電圧が印加されて、発光素子２１への冷却を開始する（図３の「初期稼働」Ｓ４０）。したがって、このときまで、発光素子２１は、冷却体２２に冷却されることなく、温度を上昇させている。
【００２８】
また、冷却体２２の初期稼働Ｓ４０において、冷却制御部４５は、冷却体２２に印加される電圧Ｖ２が経時的に大きくなるように、冷却電源部３２を制御している。これにより、冷却体２２のファンの回転速度が、経時的に大きくなるため、発光素子２１を冷却する量である冷却量が、経時的に大きくなる。
【００２９】
そして、冷却体２２に印加される電圧Ｖ２は、所定期間をかけて、設定電圧Ｖ２０となり（図４の時間Ｔ３）、その後は、設定電圧Ｖ２０で一定となるように維持される（図３の「通常稼働」Ｓ５０）。これにより、冷却体２２による冷却量は、一定となる（図４の時間Ｔ４）。本実施形態において、「冷却量が一定となる」とは、冷却体２２に印加される電圧Ｖ２が、設定電圧Ｖ２０に対して±５％（好ましくは±３％、より好ましくは±１％）である状態を１０秒間（好ましくは５秒間、より好ましくは１秒間）継続することをいう。
【００３０】
そして、冷却体２２が発光素子２１の冷却を開始してから冷却量が一定になるまでの期間（時間Ｔ４−時間Ｔ２）は、発光素子２１が点灯してから一定の電流になるまでの期間（時間Ｔ１−時間Ｔ０）よりも、長くなっている。例えば、一定の電流になるまでの当該期間（時間Ｔ１−時間Ｔ０）が、約０．５秒であるのに対して、冷却量が一定になるまでの当該期間（時間Ｔ４−時間Ｔ２）は、２０秒であり、好ましくは、１０秒であり、より好ましくは、５秒である。
【００３１】
さらに、冷却体２２の初期稼働Ｓ４０の期間（時間Ｔ３−時間Ｔ２）は、発光素子２１が点灯してから一定の電流になるまでの期間（時間Ｔ１−時間Ｔ０）よりも、長くなっている。例えば、冷却体２２の初期稼働Ｓ４０の期間は、２０秒であり、好ましくは１０秒であり、より好ましくは５秒である。
【００３２】
次に、本実施形態に係る発光装置１の作用効果について、図５を参酌して説明する。
【００３３】
まず、特許文献１に係る発光装置のように、発光素子２１及び冷却体２２に略同時に電圧が印加され、発光素子２１及び冷却体２２に印加される電圧が略同時に一定になった場合、発光素子２１の温度は、徐々に上昇する。したがって、斯かる場合、図５に示すように、発光素子２１の照度Ｘ２０は、発光素子２１の温度の上昇に伴って、徐々に低下する。その後、長い時間が経過した後（図５の時間Ｔ１０）、発光素子２１の温度が一定になるため、発光素子２１の照度Ｘ２０も設定照度Ｘ１で一定となる。
【００３４】
それに対して、本実施形態に係る発光装置１においては、まず、発光素子２１に電流が流されるのに対して、冷却体２２には、電圧が印加されない。したがって、発光素子２１の温度は、急激に上昇するため、発光素子２１の照度Ｘ１０も、急激に低下する。その後、冷却体２２に電圧が印加され、当該電圧が徐々に大きくなるため、発光素子２１の温度が一定になる。したがって、短い時間（図５の時間Ｔ３）で、発光素子２１の照度Ｘ１０が設定照度Ｘ１で一定となる。
【００３５】
以上より、本実施形態に係る発光装置１は、発光する発光素子２１と、前記発光素子２１を冷却する冷却体２２と、前記発光素子２１の電流及び電圧の少なくとも一方（本実施形態では、電流）が一定となるように制御し、且つ、前記冷却体２２が前記発光素子２１を冷却する量である冷却量を制御する制御装置４と、を備え、前記制御装置４は、前記発光素子２１が点灯して前記発光素子２１の電流及び電圧の少なくとも一方（本実施形態では、電流）が一定になった後に、前記冷却量が一定となるように、前記冷却量を制御する。
【００３６】
また、本実施形態に係る制御装置４は、発光する発光素子２１を冷却する冷却体２２に対して、前記冷却体２２が前記発光素子２１を冷却する量である冷却量を制御する制御装置４であって、前記発光素子２１の電流及び電圧の少なくとも一方（本実施形態では、電流）が一定となるように制御し、さらに、前記発光素子２１が点灯して前記発光素子２１の電流及び電圧の少なくとも一方（本実施形態では、電流）が一定になった後に、前記冷却量が一定となるように、前記冷却量を制御する。
【００３７】
斯かる構成によれば、発光素子２１が点灯して、発光素子２１の電流及び電圧の少なくとも一方（本実施形態では、電流）が一定になった後に、冷却体２２が発光素子２１を冷却する量である冷却量が、一定となる。これにより、発光素子２１に対して、点灯後の発光素子２１の温度が一定となることを早めることができる。したがって、例えば、点灯後の発光素子２１の発光量が一定となることを早めることができる。
【００３８】
また、本実施形態に係る発光装置１においては、前記制御装置４は、前記発光素子２１が点灯して前記発光素子２１の電流及び電圧の少なくとも一方（本実施形態では、電流）が一定になった後に、前記冷却体２２が前記発光素子２１の冷却を開始するように、前記冷却量を制御する、という構成である。
【００３９】
斯かる構成によれば、発光素子２１が点灯して、発光素子２１の電流及び電圧の少なくとも一方（本実施形態では、電流）が一定になった後に、冷却体２２が発光素子２１の冷却を開始する。これにより、発光素子２１に対して、点灯後の発光素子２１の温度が一定となることをさらに早めることができる。したがって、例えば、点灯後の発光素子２１の発光量が一定となることをさらに早めることができる。
【００４０】
また、本実施形態に係る発光装置１においては、前記冷却体２２が前記発光素子２１の冷却を開始してから前記冷却量が一定になるまでの期間は、前記発光素子２１が点灯してから前記発光素子２１の電流及び電圧の少なくとも一方（本実施形態では、電流）が一定になるまでの期間よりも、長い、という構成である。
【００４１】
斯かる構成によれば、冷却体２２が発光素子２１の冷却を開始してから冷却量が一定になるまでの期間（時間Ｔ４−時間Ｔ２）は、発光素子２１が点灯してから発光素子２１の電流及び電圧の少なくとも一方（本実施形態では、電流）が一定になるまでの期間（時間Ｔ１−時間Ｔ０）よりも、長くなっている。これにより、発光素子２１の温度を安定させることができるため、発光素子２１に対して、点灯後の発光素子２１の温度が局所的に変化することを抑制することができる。したがって、例えば、点灯後の発光素子２１の発光量が局所的に変化することを抑制することができる。
【００４２】
なお、発光装置及び制御装置は、上記した実施形態の構成に限定されるものではなく、また、上記した作用効果に限定されるものではない。また、発光装置及び制御装置は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４３】
上記実施形態に係る装置１，４においては、発光素子２１に流れる電流が一定となるように制御される、という構成である。しかしながら、装置は、斯かる構成に限られない。例えば、発光素子２１に印加される電圧が一定となるように制御される、という構成でもよい。
【００４４】
また、装置は、発光素子２１に流れる電流（又は、印加される電圧）を操作する、という構成でもよく、また、発光素子２１に流れる電流（又は、印加される電圧）と相関関係のある箇所の電流（又は電圧）を操作することで、発光素子２１に流れる電流（又は、印加される電圧）を制御する、という構成でもよい。
【００４５】
また、上記実施形態に係る装置１，４においては、冷却体２２が発光素子２１の冷却を開始してから冷却量が一定になるまでの期間（時間Ｔ４−時間Ｔ２）は、発光素子２１が点灯してから電流が一定になるまでの期間（時間Ｔ１−時間Ｔ０）よりも、長い、という構成である。しかしながら、装置は、斯かる構成に限られない。
【００４６】
例えば、冷却体２２が発光素子２１の冷却を開始してから冷却量が一定になるまでの期間は、発光素子２１が点灯してから一定の電流になるまでの期間と、同じ、という構成でもよい。また、例えば、図６に示すように、冷却体２２が発光素子２１の冷却を開始してから冷却量が一定になるまでの期間（時間Ｔ５−時間Ｔ２）は、発光素子２１が点灯してから一定の電流になるまでの期間（時間Ｔ１−時間Ｔ０）よりも、短い、という構成でもよい。
【００４７】
図６に係る装置１，４においては、冷却体２２の初期稼働Ｓ４０は、存在しておらず、冷却体２２の通常稼働Ｓ５０のみが、存在している。具体的には、冷却制御部４５から冷却電源部３２へは、時間Ｔ２において、冷却体２２に設定電圧Ｖ２０を印加するように制御している。即ち、時間Ｔ２直後に、冷却体２２に印加される電圧Ｖ２が徐々に大きくなっているのは、立ち上がり時に必然的に発生する電圧上昇によるものであり、冷却制御部４５は、冷却体２２に印加する電圧Ｖ２を意図的に徐々に大きくしている訳ではない。
【００４８】
また、上記実施形態に係る装置１，４は、発光素子２１が点灯して一定の電流になった後に、冷却体２２が発光素子２１の冷却を開始するように、冷却量を制御する、という構成である。しかしながら、装置は、斯かる構成に限られない。例えば、図７に示すように、制御装置４は、発光素子２１が点灯すると同時に、冷却体２２が発光素子２１の冷却を開始するように、冷却量を制御する、という構成でもよい。
【００４９】
また、上記実施形態に係る発光装置１においては、冷却体２２は、ファンであり、制御装置４に制御される冷却量は、ファンの回転速度である、という構成である。しかしながら、発光装置は、斯かる構成に限られない。例えば、冷却体２２は、複数のファンであり、制御装置４に制御される冷却量は、ファンの稼働台数である、という構成でもよい。また、例えば、冷却体２２は、冷却水が内部を流通し且つ発光素子２１に連結されているヒートシンクであり、制御装置４に制御される冷却量は、ヒートシンクの内部を流通する冷却水の流量である、という構成でもよい。
【００５０】
また、上記実施形態に係る発光装置１は、シート１００に画像を形成する画像形成装置である、という構成である。しかしながら、発光装置は、斯かる構成に限られない。例えば、発光装置は、半導体や液晶等の微細な回路パターンを露光するための露光装置である、という構成でもよい。
【００５１】
また、装置１，４は、図８に示すように、発光素子２１が点灯した後に冷却体２２が発光素子２１の冷却を開始する時間を演算する、という構成でもよい。図８に係る制御においては、演算部４３は、発光素子２１が点灯する直前に消灯していた時間に基づいて、冷却体２２が発光素子２１の冷却を開始する時間を演算する、という構成である。
【００５２】
例えば、発光素子２１が消灯した際に、冷却体２２が発光素子２１を冷却することを停止する。したがって、発光素子２１が消灯していた時間に対応して、点灯時の発光素子２１の温度は、変化する。具体的には、発光素子２１が消灯していた時間が短いほど、点灯時の発光素子２１の温度は、高くなっている。
【００５３】
したがって、演算部４３は、発光素子２１が直前に消灯していた時間を演算する（図８のＳ４１）。そして、演算部４３は、その演算した結果に基づいて、冷却体２２が発光素子２１の冷却を開始する時間を演算する（図８のＳ４２）。その後、冷却制御部４５が、その演算した結果に基づいて、冷却体２２の初期稼働を開始する（図８のＳ４３）。なお、発光素子２１が直前に消灯していた時間が短いほど、発光素子２１が点灯した後に冷却体２２が発光素子２１の冷却を開始する時間は、早くなる。
【００５４】
また、発光装置１は、図９に示すように、発光素子２１の状態を検出する検出部２４を備え、検出部２４が検出する発光素子２１の状態に基づいて、冷却体２２が発光素子２１を冷却する量である冷却量を制御する、という構成でもよい。例えば、検出部２４は、発光素子２１の発光量を検出する光量センサでもよい。また、例えば、検出部２４は、発光素子２１の温度を検出する温度センサでもよい。
【００５５】
また、発光装置１は、図１０に示すように、発光素子２１を加熱する加熱部２５を備え、加熱部２５は、発光素子２１が点灯した後に所定期間だけ発光素子２１を加熱する、という構成でもよい。そして、図１０に係る電源装置３は、加熱部２５に電力を供給する加熱電源部３３を備え、制御装置４は、加熱部２５が発光素子２１を加熱する加熱量を制御するために、加熱電源部３３を制御する加熱制御部４６を備えている。
【００５６】
図１０に係る構成によれば、例えば、点灯後の発光素子２１が安定する温度（設定温度）になるまで、加熱部２５が発光素子２１を加熱することにより、点灯後の発光素子２１の温度が一定となることを早めることができる。したがって、例えば、点灯後の発光素子２１の発光量が一定となることを早めることができる。
【実施例】
【００５７】
ここで、発光装置１の構成と効果を具体的に示すため、発光装置１の実施例とその比較例とについて、図１１を参酌して、以下に説明する。
【００５８】
＜実施例１＞
実施例１は、図４に示すように、上記実施形態に係る発光装置１である。具体的には、実施例１は、発光素子２１が点灯して一定の電流になった後に、冷却体２２が発光素子２１の冷却を開始し、また、冷却体２２が発光素子２１の冷却を開始してから冷却量が一定になるまでの期間が、発光素子２１が点灯してから一定の電流になるまでの期間よりも、長い、発光装置である。
【００５９】
＜実施例２＞
実施例２は、図６に示すように、実施例１に係る発光装置１に対して、冷却量をすぐに一定にする、という構成に変更した発光装置である。具体的には、実施例２は、発光素子２１が点灯して一定の電流になった後に、冷却体２２が発光素子２１の冷却を開始し、また、冷却体２２が発光素子２１の冷却を開始してから冷却量が一定になるまでの期間が、発光素子２１が点灯してから一定の電流になるまでの期間よりも、短い、発光装置である。
【００６０】
＜実施例３＞
実施例３は、図７に示すように、実施例１に係る発光装置１に対して、発光素子２１が点灯するのと同時に発光素子２１の冷却を開始する、という構成に変更した発光装置である。具体的には、実施例３は、発光素子２１が点灯するのと同時に発光素子２１の冷却を開始し、また、冷却体２２が発光素子２１の冷却を開始してから冷却量が一定になるまでの期間が、発光素子２１が点灯してから一定の電流になるまでの期間よりも、長い、発光装置である。
【００６１】
＜比較例＞
比較例は、実施例１に係る発光装置１に対して、発光素子２１が点灯するのと同時に発光素子２１の冷却を開始し、冷却量をすぐに一定にする、という構成に変更した発光装置である。即ち、比較例は、発光素子２１が点灯するのと同時に発光素子２１の冷却を開始し、また、冷却体２２が発光素子２１の冷却を開始してから冷却量が一定になるまでの期間が、発光素子２１が点灯してから一定の電流になるまでの期間と、同じである、発光装置である。
【００６２】
＜評価結果＞
図１１に示すように、実施例１〜３の照度Ｘ１０〜Ｘ１２は、比較例の照度Ｘ２０に対して、一定となることを早められている。このように、実施例１〜３は、発光素子２１が点灯して一定の電流になった後に、冷却量が一定となっているため、点灯後の発光素子２１の発光量が一定となることを早めることができる。
【００６３】
また、発光装置のより好ましい実施例について、以下に説明する。
【００６４】
まず、実施例１及び２に係る発光装置は、発光素子２１が点灯して一定の電流になった後に、冷却体２２が発光素子２１の冷却を開始する、という構成である。それに対して、実施例３に係る発光装置は、発光素子２１が点灯するのと同時に発光素子２１の冷却を開始する、という構成である。
【００６５】
そして、実施例３に係る発光装置は、点灯後の発光素子２１の照度Ｘ１２が一定となることを早めることができているのに対して、実施例１及び２に係る発光装置は、点灯後の発光素子２１の照度Ｘ１０，Ｘ１１が一定となることをさらに早めることができている。これにより、発光装置１及び制御装置４は、発光素子２１が点灯して一定の電流になった後に、冷却体２２が発光素子２１の冷却を開始するように、冷却量を制御する、という構成が好ましい。
【００６６】
次に、実施例１に係る発光装置は、冷却体２２が発光素子２１の冷却を開始してから冷却量が一定になるまでの期間は、発光素子２１が点灯してから一定の電流になるまでの期間よりも、長い、という構成である。それに対して、実施例２に係る発光装置は、冷却体２２が発光素子２１の冷却を開始してから冷却量が一定になるまでの期間は、発光素子２１が点灯してから一定の電流になるまでの期間よりも、短い、という構成である。
【００６７】
そして、実施例２に係る発光装置は、発光素子２１の冷却を開始した際に、照度Ｘ１１が局所的に変化しているのに対して、実施例１に係る発光装置は、発光素子２１の冷却を開始した際にも、照度Ｘ１０が安定して変化している。これにより、発光装置１及び制御装置４は、冷却体２２が発光素子２１の冷却を開始してから冷却量が一定になるまでの期間は、発光素子２１が点灯してから一定の電流になるまでの期間よりも、長い、という構成が好ましい。
【符号の説明】
【００６８】
１…発光装置、２…定着部、３…電源装置、４…制御装置、１１…搬送部、１２…塗布部、１３…入力部、１４…装置本体、２１…発光素子、２２…冷却体、２３…筐体、２４…検出部、２５…加熱部、３１…発光電源部、３２…冷却電源部、３３…加熱電源部、４１…取得部、４２…記憶部、４３…演算部、４４…発光制御部、４５…冷却制御部、４６…加熱制御部、１００…シート
【図１】
2017185707.tif 000003
【図２】
2017185707.tif 000004
【図３】
2017185707.tif 000005
【図４】
2017185707.tif 000006
【図５】
2017185707.tif 000007
【図６】
2017185707.tif 000008
【図７】
2017185707.tif 000009
【図８】
2017185707.tif 000010
【図９】
2017185707.tif 000011
【図１０】
2017185707.tif 000012
【図１１】
2017185707.tif 000013